(57)【要約】【課題】小型でかつ低損失の送受信制御回路を提供することである。【解決手段】本発明の送受信制御回路は、アンテナ端子１と第１のスイッチ回路部ＳＷ１及び第２のスイッチ回路部ＳＷ２との間に、ハイパスフィルタ４２と位相調整用の伝送線路４１を設けた。そして、第１のスイッチ回路部ＳＷを構成するローパスフィルタ６、１６’と伝送線路４１とで、従来のダイプレクサの機能させた。これにより、ダイプレクサの損失とスイッチ回路部の損失の和を低くでき、ダイプレクサ機能の一部をスイッチ部にて形成するため小型化できる。【選択図】図１
2004260475.tif 000002
【特許請求の範囲】
【請求項１】
アンテナが接続されるアンテナ端子と、
送信回路が接続される第１、第２の送信端子と、
受信回路が接続される第１、第２の受信端子と、
前記アンテナ端子に接続され、且つ互いに通信帯域の異なる第１及び第２の送受信信号を統合分離する分離統合回路部と、
前記分離統合回路部と前記第１の送信端子及び前記第１の受信端子との間に前記第１の送受信信号の送信と受信との切換制御を行う第１のスイッチ回路部と、
前記分離統合回路部と前記第２の送信端子及び前記第２の受信端子との間に前記第２の送受信信号の送信と受信との切換制御を行う第２のスイッチ回路部とを具備するとともに、
前記分離統合回路部は、前記第２のスイッチ回路部に接続するハイパスフィルタと、前記第１のスイッチ回路部と接続する位相調整用の伝送線路とを有するとともに、
第１のスイッチ回路部は、前記第１の送信端子と前記分離統合回路部との間に配置された第１のローパスフィルタ及び第１のスイッチングダイオードと、前記分離統合回路部と前記第１の受信端子との間に配置された第２のローパスフィルタと、
該第２のローパスフィルタの一端とグランド電位との間に配置された第２のスイッチダイオード及びコンデンサと、
前記第１のスイッチングダイオード及び第２のスイッチングダイオードをオンオフ制御する送受信切換信号が入力される制御端子と
から成ることを特徴とする送受信制御回路。
【請求項２】
前記第２のスイッチング回路部は、前記第２の送信端子と前記分離統合回路部との間に配置された第３のローパスフィルタ及び第３のスイッチングダイオードと、
前記分離統合回路部と前記第２の受信端子との間に配置された第２の送信信号の中心周波数に対して概略１／４波長相当の長さを有する第２の伝送線路と、
該第２の伝送線路の一端とグランド電位との間に配置された第４のスイッチダイオード及びコンデンサと、
前記第３のスイッチングダイオード及び第４のスイッチングダイオードをオンオフ制御する送受信切換信号が入力される第２の制御端子と、
を備えることを特徴とする請求項１記載の送受信制御回路。
【請求項３】
前記位相調整用の伝送線路をインダクタで構成すること特徴とする請求項１記載の送受信制御回路。
【請求項４】
前記第１、２及び３のローパスフィルタの少なくとも一つがＳＡＷフィルタにより構成されていることを特徴とする送受信制御回路。
【発明の詳細な説明】
【０００１】
【発明の属する技術分野】
本発明は、デュアルバンド対応携帯電話端末用、即ち、互いに通信帯域の異なる第１及び第２の送受信信号の送受信制御回路に関するものである。
【０００２】
【従来の技術】
デュアルバンド対応の送受信制御回路は、アンテナと送信回路ＴＸ及び受信回路ＲＸ間の切り替え用途として用いられ、ダイプレクサ部Ｄとスイッチ回路部ＳＷ１、ＳＷ２とローパスフィルタＬＰＦ１〜ＬＰＦ３で構成されていた。図２はそのデュアルバンド対応の送受信制御回路のブロック図である。
例えば、送受信制御回路は、アンテナが接続されるアンテナ端子Ａと、
送信回路が接続される第１の送信端子Ｔ１、第２の送信端子Ｔ２と、
受信回路が接続される第１の受信端子Ｒ１、第２の受信端子Ｒ２とを具備していた。
【０００３】
アンテナ端子Ａに接続するダイプレクサ部Ｄは、２つの通信帯域の間の周波数をしきい値にもつハイパスフィルタＨＰＦと、ローパスフィルタＬＰＦとが構成されていた。そして、アンテナに受信された低周波数側の第１の受信信号は、ダイプレクサ部Ｄのローパスフィルタを介して、第１のスイッチ回路部ＳＷ１に供給され、第１のスイッチ回路部ＳＷ１内の制御により第１の受信端子Ｒ１に導出されるようになっている。またアンテナに受信された高い周波数側の第２の受信信号は、ダイプレクサ部ＤのハイパスフィルタＨＰＦを介して、第２のスイッチ回路部ＳＷ２に供給され、第２のスイッチ回路部ＳＷ２内の制御により第２の受信端子Ｒ２に導出されるようになっている。
【０００４】
第１の送信端子に供給された第１の送信信号（第２の送信信号より低い周波数）は、第１のスイッチ回路部ＳＷ１で制御されて、ダイプレクサ部ＤのローパスフィルタＬＰＦを介してアンテナに送られる。第２の送信端子に供給された第２の送信信号は、第２のスイッチ回路部ＳＷ２で制御されて、ダイプレクサ部ＤのハイパスフィルタＨＰＦを介してアンテナに送られる。
【０００５】
尚、ここで第１のローパスフィルタＬＰＦ１は送信回路ＴＸで発生する第１の送信信号の高調波成分を阻止するために用いられる。また第３のローパスフィルタＬＰＦ３は送信回路ＴＸで発生する第２の送信信号の高調波成分を阻止するために用いられる。
【０００６】
図３には、送受信制御回路の一例を示す。第１のスイッチ回路部ＳＷ１及び第２のスイッチ回路部ＳＷ２は、実質的に同一の回路構成をなしており、例えば、第１のスイッチ回路部ＳＷ１にはダイプレクサ部Ｄと接続する端子５２、送信回路ＴＸに接続する第１の送信端子２、受信回路ＲＸ接続する第１の受信端子３及び第１の送信信号と第１の受信信号との切り替えを制御する信号が入力される第１の制御端子７を有している。
第１の送信端子２には、コンデサ１７、第１のローパスフィルタ６を介して第１のＰＩＮダイオード２０のアノード側に接続され、この第１のＰＩＮダイオード２０のカソード側は第１の伝送線路１６及びコンデンサ１０を介してダイプレサ４０の端子５２に接続される。また第１のＰＩＮダイオード２０に並列にインダクタ１９とコンデンサ１８の直列回路が接続される。
【０００７】
第１のローパスフィルタ６は、第１の送信端子２から入力される第１の送信信号を通過帯域内にもち、送信回路で発生する第１の送信信号の高調波成分を阻止するようにしてある。
この第１の伝送線路１６は第１の送信端子２に入力される送信信号の概略中心周波数に対してλ／４となるような線路長を持ちコンデンサ１２を介して第１の受信端子３に接続される。この第１の伝送線路１６の受信端子側とグランド電位との間に、第２のＰＩＮダイオード１３が接続され、そのカソードには接地されたコンデンサ１４及び接地された抵抗１５に接続される。
【０００８】
また第１のＰＩＮダイオード２０のアノード側は，コイル２１を介して第１の制御端子７に接続される。
【０００９】
ここでコンデンサ１０は第１、第２のスイッチングダイオード（ＰＩＮダイオード）２０、１３に流れるバイアス電流がダイプレクサ４０の一部を介してグランドまたは送受信制御回路の外に流れ出すことを防止するためのカップリングコンデンサであり、コンデンサ１２、１７は第１、第２のＰＩＮダイオード２０，１３に流れるバイアス電流がスイッチ回路部ＳＷ１の外に流れ出すことを防止するためのカップリングコンデンサである。コイル２１は第１の制御端子７と第１の送信端子２間をハイインピーダンスに保ち送信信号が第１の制御端子７に漏れることを防ぐために用いられる。また第１の受信信号の周波数において、オフ時に容量成分をもつ第１のＰＩＮダイオード２０とコイル１９及びコンデンサ１８により並列共振するようにしており、またコンデンサ１８を用いることによりバイアス電流がコイル１９に流れず、第１のＰＩＮダイオード２０に確実に流れるようにしている。コンデンサ１４は第１の送信信号の周波数において、オン時にインダクタンス成分をもつ第２のＰＩＮダイオード１３と直列共振するように定められており、抵抗１５は第１、第２のＰＩＮダイオード２０、１３に流れるバイアス電流を所定の値に調整するために用いられる。
【００１０】
同様に、第２のスイッチ回路部ＳＷ２も、ダイプレクサ部４０に接続する端子５３、送信回路ＴＸに接続する第２の送信端子４、受信回路ＲＸに接続する第２の受信端子５、第２の制御端子９を有して、さらに、コンデサ１１、２２、２４、２７、２８、第３のローパスフィルタ８、第３のＰＩＮダイオード３０、第４のＰＩＮダイオード２３、第２の伝送線路２６、抵抗２５、コイル２９、３１から構成される。
【００１１】
また、ダイプレクサ部４０は、アンテナ端子１となる端子５１、第１のスイッチ回路部ＳＷ１に接続する端子５２及び第２のスイッチ回路部ＳＷ２に接続する端子５３とを有し、例えば、第１の送受信信号であるＧＳＭ通信システムの信号（周波数帯ｆ１が８８０−９６０ＭＨｚ）を通過させるローパスフィルタと、第２の送受信信号であるＤＣＳ通信システムの信号（周波数帯ｆ２が１７１０−１８８０ＭＨｚ）やＰＣＳ通信システムの信号（周波数帯ｆ２が１８５０−１９９０ＭＨｚ）を通過させるハイパスフィルタとが組み合わせられて構成されており、第１の送受信信号をアンテナ端子１と第１のスイッチ回路部ＳＷ１とを、第２の送受信信号をアンテナ端子１と第２のスイッチ回路部ＳＷ２とを接続させていた。
【００１２】
例えば、ＧＳＭ通信システムの第１の送受信信号は、第１のスイッチ回路部ＳＷ１で送受信の制御が行われる。
【００１３】
送信時において、第１の制御端子７より加えた正の電圧により第１及び第２のＰＩＮダイオード２０、１３はバイアス電流が流れオン状態となる。よって第１の送信信号の周波数において、第１の送信端子２とダイプレクサ４０の端子５２間は第１のＰＩＮダイオード２０、第１のローパスフィルタ６によりほとんど損失がなく接続される。
尚、ダイプレクサ４０の端子５２と第１の受信端子３間の第１の伝送線路１６は、第２のＰＩＮダイオード１３及びコンデンサ１４により直列共振してショートスタブとして動作するが、この第１の伝送線路１６が第１の送信信号での送信線路のλ／４となるような線路長を持つためにダイプレクサ４０の端子５２と第１の受信端子３間は高インピーダンス状態になり、切り離された状態になる。
【００１４】
したがって第１の送信端子２に入力された第１の送信信号は第１の受信端子３にほとんど流れずダイプレクサ４０の端子５２にほとんど流れ、かつ第１の送信信号の高調波成分は第１のローパスフィルタ６により阻止される。ダイプレクサ４０の端子５２に入力された第１の送信信号はダイプレクサ４０ローパスフルタを通過してアンテナ端子１に出力される。
【００１５】
また、第１の受信信号の受信時には第１の制御端子７に負の逆バイアス電圧を加えるか、ＬＯＷ状態として第１、第２のＰＩＮダイオード２０，１３を共にオフさせる。これにより、第１、第２のＰＩＮダイオード２０，１３は低容量成分になり、第１のＰＩＮダイオード２０の低容量成分とコイル１９およびコンデンサ１８による並列共振のため、第１の送信端子２４とダイプレクサ４０の端子５２間を第１の受信信号の周波数に対して切断状態とする。このため、第１の受信信号は、ダイプレクサ４０の端子５２から第１の伝送線路１６を介して第１の受信端子３に伝送される。このとき、第２のＰＩＮダイオード１３が低容量成分であり、ダイプレクサ４０の端子５２と第１の受信端子３間はほとんど損失がなく接続される状態となる。
【００１６】
また、第２の送受信信号であるＤＣＳ通信システムの信号（周波数帯ｆ２が１７１０−１８８０ＭＨｚ）やＰＣＳ通信システムの信号（周波数帯ｆ２が１８５０−１９９０ＭＨｚ）第２の送受信時においは、ダイプレクサ４０のハイパスフィルタが機能し、アンテナ端子１と第２のスイッチ回路部ＳＷ２とが接続された状態となる。尚、送受信の動作は、第１のスイッチ回路部ＳＷ１と同様の動ききなる。尚、第２の伝送線路２６をはじめとする各回路構成部品は、第２の送受信信号の周波数において、当然、各設定は第１のスイッチ回路部ＳＷ１の各設定と相違している。
【００１７】
さらに、特開２０００−１１５０１８号や特開２００１−１８５９０１号のように、第１の伝送線路１６や第２の伝送線路２６をローパスフィルタする送受信制御回路もあった。
【００１８】
【特許文献１】
特開２０００−１１５０１８号公報
【特許文献２】
特開２００１−１８５９０１号公報
【００１９】
【発明が解決しようとする課題】
しかしながら、従来の送受信制御回路では、例えば第１の送受信信号をＧＳＭ（周波数帯ｆ１が８８０−９６０ＭＨｚ）、第２の送受信信号をＤＣＳ（周波数帯ｆ２が１７１０−１８８０ＭＨｚ）やＰＣＳ（周波数帯ｆ２が１８５０−１９９０ＭＨｚ）とに対応させるべく、ローパスフィルタとハイパスフィルタとを組み合わせて構成していた。このため、このダイプレクサ４０とスイッチ機能を行うスイッチ回路部ＳＷ１、２とが別々に存在しており、送受信制御回路全体が大型化するという問題があった。
【００２０】
また第１の受信信号の受信時の損失は、ダイプレクサ４０のローパスフィルタと第１のスイッチ回路部ＳＷ１の第１の伝送線路との損失の和となり、その損失が大きかった。
【００２１】
よって本発明は上述の問題点を鑑みて案出されたものであり、その目的は、小型でかつ第１の受信時において低損失の送受信制御回路を提供することである。
【００２２】
【課題を解決するための手段】
本発明は、アンテナが接続されるアンテナ端子と、
送信回路が接続される第１、第２の送信端子と、
受信回路が接続される第１、第２の受信端子と、
前記アンテナ端子に接続され、且つ互いに通信帯域の異なる第１及び第２の送受信信号を統合分離する分離統合回路部と、
前記分離統合回路部と第１の送信端子及び第１の受信端子との間に第１の送受信信号の送信と受信との切換制御を行う第１のスイッチ回路部と、
前記分離統合回路部と第２の送信端子及び第２の受信端子との間に第２の送受信信号の送信と受信との切換制御を行う第２のスイッチ回路部とを具備するとともに、
前記分離統合回路部は、第２のスイッチ回路部に接続するハイパスフィルタと、前記第１のスイッチ回路部と接続する位相回転の伝送線路とを有するとともに、
第１のスイッチ回路部は、前記第１の送信端子と前記分離統合回路部との間に配置された第１のローパスフィルタ、第１のスイッチングダイオードと、前記分離統合回路部と前記第１の受信端子との間に配置された第２のローパスフィルタと、該第２のローパスフィルタの一端とグランド電位との間に配置された第２のスイッチダイオード及びコンデンサと、前記第１のスイッチングダイオード、第２のスイッチングダイオードをオンオフ制御する送受信切換信号が入力される制御端子とからなることを特徴とする送受信制御回路である。
【００２３】
また、前記第２のスイッチング回路部は、前記第２の送信端子と前記分離統合回路部との間に配置された第３のローパスフィルタ、第３のスイッチングダイオードと、前記分離統合回路部と前記第２の受信端子との間に配置された第２の送信信号の中心周波数に対して概略１／４波長相当の長さを有する第２の伝送線路と、該第２の伝送線路の一端とグランド電位との間に配置された第４のスイッチダイオード及びコンデンサと、前記第３のスイッチングダイオード、第４のスイッチングダイオードをオンオフ制御する送受信切換信号が入力される第２の制御端子と、を備える。
【００２４】
また、前記第１の伝送線路をインダクタである。また、前記第１、２及び３のローパスフィルタの少なくとも１つはＳＡＷフィルタにより構成されている。
【００２５】
【作用】
アンテナが接続されるアンテナ端子と、送信回路が接続される第１、第２の送信端子と、受信回路が接続される第１、第２の受信端子と、アンテナ端子に接続されるハイパスフィルタおよび伝送線路と、第１の送信端子に接続される第１のローパスフィルタと、第１の受信端子と伝送線路間に接続される第２のローパスフィルタと、第１のローパスフィルタ間と伝送線路間に接続される第１のＰＩＮダイオードと、第２のローパスフィルタとグランド電極間に接続される第２のＰＩＮダイオードと、ハイパスフィルタに接続された第２の送受信周波数帯域を有する第２の通信システムの送受信を切り換える第２のスイッチ回路部とで構成されている。そして、第１の送受信信号の送信時、第２のローパスフィルタは片側ショートされ、第１の受信周波数帯域でインピーダンスが高くなる。そして、第１及び第２のローパスフィルタは第２の送受信帯域が減衰域となる。しかも、第１の受信信号の受信時及び第２の送受信信号の送受信時には、分離統合回路部の伝送線路と第１のスイッチ回路部ＳＷ１の第２のローパスフィルタとが動作し、さらに、分離統合回路部のハイパスフィルタにより、第１の受信信号及び第２の送受信信号の統合・分離を行う。
【００２６】
これは、従来のダイプレクサ部Ｄのローパスフィルタを排除して、このローパスフィルタとして、本発明では分離統合回路部の伝送線路と、本来第１の送信信号が第１の受信端子側に流れないように動作する第１のスイッチ回路部ＳＷ１の第２のローパスフィルタで機能させている。即ち、第１のスイッチ回路部ＳＷ１の第２のローパスフィルタは、従来のダイプレクサ部Ｄの一部の機能と、第１のスイッチ回路部ＳＷ１での送受信切り替え制御の２つの機能を兼ねている。
【００２７】
本発明の送受信制御回路は、第１の受信信号の受信時において、第１のスイッチ部にダイプレクサの機能の一部をいれたため、ダイプレクサの損失とスイッチ回路部の損失の和であった従来の送受信回路よりも低損失化ができる。また、ダイプレクサ機能の一部をスイッチ部にて形成するため小型化できる。
【００２８】
【発明の実施の形態】
以下、本発明の送受信制御回路を図面に基づいて詳説する。
【００２９】
図１は、本発明に係る送受信制御回路の実施例の回路図である。尚、実施例においては、第１の送受信信号の周波数は、第２の送受信信号の周波数よりも低いとし、例えば第１の送受信信号はＧＳＭ通信システム（送信信号の周波数帯域は８８０〜９１５ＭＨｚ、受信信号の周波数帯域は９２５〜９６０ＭＨｚ）であり、第２の送受信信号はＤＣＳ通信システム（受信信号の周波数帯が１８０５〜１８８０ＭＨｚ）である。即ち、この送受信制御回路は、２つの通信システムの送受信制御を行うデュアルバンド対応の送受信制御回路となる。
【００３０】
また、ＤＣＳ通信システム（受信信号の周波数帯が１８０５〜１８８０ＭＨｚ）とＰＣＳ通信システム（受信信号の周波数帯域が１９３０〜１９９０ＭＨｚ）は互いに近接しているため、例えば、第２のスイッチ回路部ＳＷ２の第２の受信端子前に、これらの信号を区別するフィルタ回路を用いれば、トリプルバンド対応の送受信制御回路となる。
【００３１】
図１の送受信制御回路には、アンテナ端子１に接続された分離統合回路部Ｘ、この分離統合回路部Ｘ、送信回路ＴＸ及び受信回路ＲＸに接続する第１のスイッチ回路部ＳＷ１を有している。また、この第１のスイッチ回路部ＳＷ１とは別系統であって、アンテナ端子１に接続された分離統合回路部Ｘ、この分離統合回路部Ｘ、送信回路ＴＸ及び受信回路ＲＸに接続する第２のスイッチ回路部ＳＷ２を有している。
【００３２】
分離統合回路部Ｘは、アンテナ端子１に接続する端子、第１のスイッチ回路部ＳＷ１に接続する端子５２、第２のスイッチ回路部ＳＷ２に接続する端子５３を有し、さらに、ハイパスフィルタ４２と位相調整用の伝送線路４１とを有して構成されている。具体的には、アンテナ端子１に接続する端子５１と第１のスイッチ回路部ＳＷ１に接続する端子５２との間には伝送線路４１が配置されている。また、端子５１と第２のスイッチ回路部ＳＷ２との間には、ハイパスフィルタ４２が配置されている。尚、伝送線路４１とはインダクタ素子を含むものであり、さらに、第２の送受信帯域よりも高域で減衰域を有するように伝送線路に容量成分を付加しても構わない。
【００３３】
第１のスイッチ回路部ＳＷ１には、分離統合回路部Ｘに接続する端子５２（端子５２は説明上の端子であり、実際には１つの配線である）、送信回路ＴＸに接続する第１の送信端子２、受信回路ＲＸ接続する第１の受信端子３及び第１の送信信号と第１の受信信号との切り替えを制御する信号が入力される第１の制御端子７を有している。
【００３４】
第１の送信端子２には、コンデサ１７、第１のローパスフィルタ６を介して第１のＰＩＮダイオード２０のアノード側に接続され、この第１のＰＩＮダイオード２０のカソード側は第２のローパスフィルタ１６’及びコンデンサ１０を介して端子５２に接続される。また第１のＰＩＮダイオード２０に並列にインダクタ１９とコンデンサ１８の直列回路が接続される。
【００３５】
第１のローパスフィルタ６は、第１の送信端子２から入力される第１の送信信号を通過帯域内にもち、送信回路で発生する第１の送信信号の高調波成分を阻止するようにしてある。
【００３６】
この第２のローパスフィルタ１６’はインダクタと容量成分とをπ型に接続した構成であり、コンデンサ１２を介して第１の受信端子３に接続される。このローパスフィルタ１６’の受信端子側とグランド電位との間に、第２のＰＩＮダイオード１３が接続され、そのカソードには接地されたコンデンサ１４及び接地された抵抗１５に接続される。
【００３７】
また第１のＰＩＮダイオード２０のアノード側は，コイル２１を介して第１の制御端子７に接続される。
【００３８】
ここでコンデンサ１０は第１、第２のスイッチングダイオード（ＰＩＮダイオード）２０、１３に流れるバイアス電流がダイプレクサ４０の一部を介してグランドまたは送受信制御回路の外に流れ出すことを防止するためのカップリングコンデンサであり、コンデンサ１２、１７は第１、第２のＰＩＮダイオード２０，１３に流れるバイアス電流がスイッチ回路部ＳＷ１の外に流れ出すことを防止するためのカップリングコンデンサである。コイル２１は第１の制御端子７と第１の送信端子２間をハイインピーダンスに保ち送信信号が第１の制御端子７に漏れることを防ぐために用いられる。また第１の受信信号の周波数において、オフ時に容量成分をもつ第１のＰＩＮダイオード２０とコイル１９及びコンデンサ１８により並列共振するようにしており、またコンデンサ１８を用いることによりバイアス電流がコイル１９に流れず、第１のＰＩＮダイオード２０に確実に流れるようにしている。コンデンサ１４は第１の送信信号の周波数において、オン時にインダクタンス成分をもつ第２のＰＩＮダイオード１３と直列共振するように定められており、抵抗１５は第１、第２のＰＩＮダイオード２０、１３に流れるバイアス電流を所定の値に調整するために用いられる。
【００３９】
第２のスイッチ回路部ＳＷ２は、従来の第２のスイッチ回路部ＳＷ２と同様の構成を示している。尚、端子５３は分離統合回路部Ｘのハイパスフィルタ４２に接続するものであり、送信回路ＴＸに接続する第２の送信端子４、受信回路ＲＸに接続する第２の受信端子５、第２の制御端子９を有して、さらに、コンデサ１１、２２、２４、２７、２８、第３のローパスフィルタ８、第３のＰＩＮダイオード３０、第４のＰＩＮダイオード２３、第２の伝送線路２６、抵抗２５、コイル２９、３１から構成される。
【００４０】
ここで第２のローパスフィルタ１６‘は片側が、第２のＰＩＮダイオード１３のオン（第１の送信信号の送信時）によってショートした場合、第１の受信信号の周波数帯域でインピーダンスが高くなる。また、第１及び第２のローパスフィルタ６、１６‘は通常、第２の送受信帯域が減衰域とする。
【００４１】
例えば、ＧＳＭ通信方式である第１の送信信号の送信時において、第１の制御端子７より加えた正の電圧により第１、第２のＰＩＮダイオード２０、１３はバイアス電流が流れオン状態とする。これによって第１の送信信号の周波数において、第１の送信端子２と伝送線路４１間は第１のＰＩＮダイオード２０、第１のローパスフィルタ６によりほとんど損失がなく接続される。この時、分離統合回路部Ｘのハイパスフィルタ４２により、第１の送信信号が第２のスイッチ回路部ＳＷ２側に漏れることはない。
【００４２】
ここでダイプレクサ機能を持たすため、例えば、第１の送信信号の周波数帯で第１のローパスフィルタ６のインピーダンスが５０［Ω］とすると、分離統合回路部Ｘにおいて、分離統合回路部Ｘの伝送線路４１を切り離した時の端子５１からみたハイパスフィルタ４２のインピーダンスを第２の送受信信号の周波数帯で５０［Ω］、第１の送信信号の周波数帯でほぼ無限大とすると、第２の送受信信号の周波数帯で、分離統合回路部Ｘの伝送線路４１および第１のローパスフィルタ６で形成される特性インピーダンスが、ほぼ無限大になるように、即ち第１のローパスフィルタは、第２の送受信周波数帯において減衰領域もつまた反射係数がほぼ１であるとすると、第１のローパスフィルタ６は伝送線路４１による位相回転によって「０」となるようなインピーダンス値に設定すればよい。
【００４３】
これにより、第１の送信信号の送信時において、分離統合回路部Ｘのハイパスフィルタ４２及び伝送線路４１、第１のローパスフィルタ６により、従来のダイプレクサと同等の機能となり、従来のデュプレクサ部Ｄに設けていたローパスフィルタを用いる必要がなくなる。
【００４４】
また、第２のＰＩＮダイオード１３及びコンデンサ１４は第１の送信信号周波数にて直列共振するように設定され、また第１のローパスフィルタ６が片側ショート時には、この第１の送信信号では高インピーダンス状態になるように設定している。このため、伝送線路４１と第１の受信端子３間は切り離された状態になる。
【００４５】
したがって、第１の送信端子２に入力された第１の送信信号は第１の受信端子３にほとんど流れず、第１のローパスフィルタ６と伝送線路４１およびハイパスフィルタ４２でダイプレクサ機能をもつため、第１の送信信号はアンテナ端子１に出力される。
【００４６】
また、送信回路ＴＸで発生した第１の送信信号の高調波成分である２倍波１７６０〜１８３０ＭＨｚ等の高調波は、第１のローパスフィルタ６により阻止される。
【００４７】
また、第１の受信信号の受信時には第１の制御端子７に負の逆バイアス電圧を加えるか、ＬＯＷ状態として、第１、第２のＰＩＮダイオード２０，１３を共にオフさせる。これにより、第１、第２のＰＩＮダイオード２０，１３は低容量成分になり、第１のＰＩＮダイオード２０の低容量成分とコイル１９およびコンデンサ１８による並列共振のため、第１の送信端子２と端子５２間を第１の受信信号の周波数に対して切断状態とする。また、分離統合回路部Ｘのハイパスフィルタ４２により、第１の受信信号が第２のスイッチ回路部ＳＷ２側に漏れることはない。
【００４８】
ここでダイプレクサ機能を持たす為、例えば、第１の受信信号の周波数帯で第２のローパスフィルタ１６‘のインピーダンスが５０［Ω］とすると分離統合回路部Ｘにおいて、分離統合回路部Ｘの伝送線路４１を切り離した時の端子５１からみたハイパスフィルタ４２のインピーダンスを第２の送受信信号の周波数帯で５０［Ω］、第１の受信信号の周波数帯でほぼ無限大とすると、第２の送受信信号の周波数帯で、分離統合回路部Ｘの伝送線路４１および第２のローパスフィルタ１６‘で形成される特性インピーダンスが、ほぼ無限大になるように、即ち第２のローパスフィルタ１６’は、第２の送受信周波数帯において減衰領域もつまた反射係数がほぼ１であるとすると、第２のローパスフィルタ１６‘は伝送線路４１による位相回転によって「０」となるようなインピーダンス値に設定すればよい。
【００４９】
これにより、第１の受信信号の受信時において、分離統合回路部Ｘのハイパスフィルタ４２及び伝送線路４１、第２のローパスフィルタ１６’により、従来のダイプレクサと同等の機能となり、従来のデュプレクサ部Ｄに設けていたローパスフィルタを用いる必要がなくなる。
【００５０】
また第２のＰＩＮダイオード１３が低容量成分のため、アンテナ端子に入力された第１の受信信号は、第１の送信端子２にほとんど流れずに第１の受信端子３に伝送される。
【００５１】
また、第２のスイッチ回路部ＳＷ２の動作は、従来のスイッチ回路部と実質的に同一の動作であるために、ここでは詳細な説明は省略するが、重要なことは、第２の送受信信号と分離統合回路部Ｘとの関係である。
【００５２】
第１の送受信信号よりも高い周波数の第２の送受信信号においては、分離統合回路部Ｘのハイパスフィルタを通じて、アンテナ端子１と第２の送受信信号４、５との間で送受信が達成される。
【００５３】
この時、第２の送受信信号が第１のスイッチ回路部ＳＷ１側に漏れることがないようにすることが重要である。
ここでダイプレクサ機能を持たす為、例えば、分離統合回路部Ｘのハイパスフィルタ４２を切り離した時の端子５１からみた伝送線路のインピーダンスを第１の送受信信号の周波数帯で５０［Ω］、第２の送受信信号の周波数帯でほぼ無限大とすると、第１の送受信信号の周波数帯で、ハイパスフィルタ４２にインピーダンスがほぼ無限大、第２の送受信信号の周波数帯で５０［Ω］となるように設定すればよい。
尚、第２の送受信信号が第１のスイッチ回路部ＳＷ側に流れようとても、分離統合回路部Ｘの伝送線路４１と第２のローパスフィルタ１６‘とが、従来のダイプレクサ部Ｄのローパスフィルタとして機能して、第２の送信信号が第１の送信端子２から第１の受信端子へ漏れるのを遮断し、第２受信信号がアンテナ端子から第２の受信端子へ漏れるのを遮断する。また、第１の分離統合回路部Ｘの伝送線路４１と第２のローパスフィルタ１６’とが、従来のダイプレクサ部Ｄのローパスフィルタとして機能して、第１の送信端子３から第２の受信端子５へ漏れる第２の送受信信号を遮断する。
【００５４】
以上のように、本発明では、従来の損失が大きいローパスフィルタを排除して、第１のスイッチ回路部ＳＷ１に用いられるローパスフィルタ６、１６’を、ダイプレクサＤＸのローパスフィルタとして機能させて用いている。
【００５５】
これにより、従来、ダイプレクサ部Ｄのローパスフィルタで発生していた大きな損失を、伝送線路とスイッチ回路部ＳＷ側の第１及び第２のローパスフィルタ６、１６とで機能を兼用させることで、第１の送受信信号における全体の損失を低減することができる。
また、第１、２及び３のローパスフィルタ６、１６‘、８の少なくとも１つはＳＡＷフィルタにより構成することが望ましい。これは、ＳＡＷフィルタでローパスフィルタを構成することにより、さらに損失が少なく、選択性の良好なフィルタを構成することができる。
【００５６】
【発明の効果】
本発明の送受信制御回路は、第１の受信信号の受信時において、第１のスイッチ回路部のローパスフィルタに従来のダイプレクサの機能を兼用させたため、ダイプレクサの損失とスイッチ回路部の損失の和であった従来の送受信制御回路の損失を、低損失化することができる。また、従来のダイプレクサ機能の一部を第１のスイッチ回路部にて形成するため、分離統合回路部の構成を簡素化することができ、送受信回路全体の小型化が可能となる。
【図面の簡単な説明】
【図１】本発明の送受信制御回路の実施例の回路図
【図２】デュアルバンド型送受信制御回路のブロック回路図
【図３】従来の送受信制御回路の回路図
【符号の説明】
１・・・ＡＮＴ端子
２・・・第１の送信端子
３・・・第１の受信端子
４・・・第２の送信端子
５・・・第２の受信端子
６、８・・・ローパスフィルタ
７・・・第１の制御端子
９・・・第２の制御端子
１０、１１、１２、１４、１７、１８、１７、２２、２４、２７、２８・・・コンデンサ
１３、２０、２３、３０・・・スイッチングダイオード（ＰＩＮダイオード）
１６、２６・・・伝送線路
１５、２５・・・抵抗
１９、２１、２９、３１、７１、８１、８３・・・コイル
４０・・・ダイプレクサ
１６’・・ローパスフィルタ
Ｘ・・・分離統合回路部
４１・・・位相調整用の伝送線路
４２・・・ハイパスフィルタ
【図１】
2004260475.tif 000003
【図２】
2004260475.tif 000004
【図３】
2004260475.tif 000005